(57)【要約】【課題】  一般に、キャンバスが木枠に張設されるには、その木枠の側面へホッチキスによる打ち留めで固定されているが、キャンバスの端部を木枠に固定するホッチキスが木枠の側面にあると、該ホッチキスによる打ち留めが露出されることになり、額なしでは、机上や壁などに飾ることが出来なかった。また、額に入れて飾るキャンバスパネルは、側面部分が額内に入ってしまい、側面部分の範囲にまで絵画を描いても無駄になり、描いても意味がなかった。【解決手段】  シート状画布生地の表面に下地材を噴出して下地をなし、その表面がコーティングされた上で水性顔料インクを使用してヘッドからの噴射方式により絵画が印刷されたキャンバスと、このキャンバスを張設する木枠とでなり、該キャンバスがその端部を木枠の裏面まで回してホッチキスによる打ち留めで固定され、そのホッチキスが覆い被されると共にキャンバスの端部に沿って貼着されるテープが備えられるキャンバスパネルである。【選択図】図２
2018083407.tif 000002
【特許請求の範囲】
【請求項１】
シート状画布生地の表面に特殊な薬剤でなる下地材を噴射して下地をなし、その表面がコーティングされた上で、水性顔料インクを使用してのヘッドからの噴射方式により絵画が印刷されたキャンバスと、このキャンバスを張設する木枠とでなり、該キャンバスがその端部を木枠の裏面まで回してホッチキスによる打ち留めで固定され、そのホッチキスが覆い被されると共に、キャンバスの端部に沿って貼着されるテープが備えられることを特徴とするキャンバスパネル。
【請求項２】
シート状画布生地の表面に下地をなし、その表面がコーティングされた上で、絵画が印刷されたキャンバスを木枠に張設し、該キャンバスが木枠の裏面まで回されてホッチキスによるキャンバス釘の打ち留めされた、その木枠とキャンバスとで囲まれた裏面空間における木枠内側側面には、壁掛け用金具が設けられ、該壁掛け用金具に紐を結び備えられていることを特徴とする請求項１記載のキャンバスパネル。
【発明の詳細な説明】
【技術分野】
【０００１】  本発明は、額などに入れず、直接に、机上、又は壁などへ飾れるキャンバスパネルに関するものである。
【背景技術】
【０００２】  従来の油絵用のキャンバスパネルは、亜麻、木綿、合成繊維、混紡等のシート状画布生地の表面に、透明な合成樹脂材料からなる下地材が塗布され、この下地上には、白色塗料の防湿性塗料を塗布してキャンバスが構成されている。
キャンバスは、木製、アルミニウム製等の画枠に、下地材が塗布され、コーティングされた表面を表にして張設され、画枠の側面にキャンバス釘の打ち留め等で固定し、油絵用キャンバスパネルが形成されている。
そこで、キャンバスの表面には、油絵の具が塗り重ねられて絵画を描くことになる。【０００３】  しかし、画枠に張設されたキャンバスは、その裏面が生地を露出しているため、大気中の湿度の影響を受け易く、その吸湿・乾燥によって収縮、膨張が繰り返され、撓みを生じることになり、そこで、裏面にも、表面と同じように防湿性塗料が塗布されて、湿気を遮断出来るようにした。
【先行技術文献】
【特許文献】
【０００４】
【特許文献１】  特開２００７−３１３７４６
【発明の概要】
【発明が解決しようとする課題】
【０００５】  従来のキャンバスパネルは、一般に、キャンバスを木製画枠に張設するためにその側面へホッチキスのキャンバス釘打ち留め等で固定している。そこで、木製画枠の側面には、ホッチキスのキャンバス釘等が露出しており、額なしでの机上や壁等に飾ることができず、そして、キャンバスの木製画枠へのホッチキスのキャンバス釘打ち留め等による固定が露出しているので、壁掛けした際には、額に入れなければならなかった。そして、額に入れられたキャンバスパネルは、立体感を齎すために、キャンバスが張設された木製画枠の側面部分の範囲にまで絵画を描ければよいのにと思っても、額にキャンバスパネルの側面が隠れてしまう為、それができなかった。また、ホッチキスのキャンバス釘打ち留めが露出していると、それによって、壁に傷を着けるようになったりして、不都合であった。
更に、壁掛け用金具を木製の画枠に設ける際、それが木製画枠の外側面に出ていると、それによって、壁や、他のキャンバスパネルとの重ね立て置きする際の他のキャンバスパネルに傷を付けることになって、都合悪かった。
【課題を解決するための手段】
【０００６】  本発明のキャンバスパネルは、亜麻、木綿、合成繊維、混紡等のシート状画布生地の表面に特殊な薬剤である下地材を噴射して下地をなし、その表面がコーティングされた上で、水性顔料インクを使用してヘッドからの噴射方式による絵画が印刷されたキャンバスと、このキャンバスを張設する木枠とでなり、該キャンバスがその端部を木枠の裏面まで回してホッチキスのようなキャンバス釘による打ち留めで固定され、そのホッチキスが覆い被されると共にキャンバスの端部に沿って貼着されるテープが備えられるものである。【０００７】  本発明のキャンバスパネルは、シート状画布生地の表面に下地をなし、その表面がコーティングされた上で、絵画が印刷されたキャンバスを木枠に張設し、該キャンバスが木枠の裏面まで回されてホッチキスによるキャンバス釘打ち留めされたその木枠とキャンバスとで囲まれた裏面空間における木枠内側側面には壁掛け用金具が設けられ、該壁掛け用金具に紐を結び備えてなるものである。
【発明の効果】
【０００８】  本発明のキャンバスパネルにおける印刷、及びインクについては、ヘッドから噴射する噴射方式、所謂、ジクレー印刷という方法をとり、インクは、水性顔料インクを使用しているので、乾くと耐水性になり、光や、空気等による褪色が少ない効果がある。【０００９】  シート状画布生地の表面には、特殊な薬剤である下地材を噴射して下地を形成し、その上面にコーティングすることにより、よりリアルな色を再現出来ることになり、更に、その上に絵画を印刷したキャンバスは、額などに入れずに、直接飾るキャンバスパネルとして色褪せやシート状画布生地の劣化が長期間起り難くする。【００１０】  刷上がったキャンバスが木枠に張設されるに当って、この際に、引張り過ぎて表面にひびが入ったり、割れたりすることを避ける為に、長年の感と経験で、手際よく、順番に、手加減して張ることが出来る。
また、木枠の裏面までキャンバスを回してホッチキスによる打ち留めで固定されるので、キャンバスパネルの側面にも絵画を描く使用面として使えることになり、壁などに掛けた際には、平面的でない立体感を味わうことが出来る。
更に、裏面のホッチキスによる打ち留めの上にテープが貼られることにより、見た目を綺麗にするだけでなく、壁掛けの際に、壁を傷つけ難くする。【００１１】  キャンバスパネルの裏面の木枠内と、キャンバス裏面とによる空間を利用して、木枠内側側面に壁掛け用金具を打設し、紐を結び備えることによって、紐を結んだ際には、キャンバスパネル内側に収まり、壁掛け用金具によって壁に掛けた際には、平行に掛けることが可能になる。
【図面の簡単な説明】
【００１２】
【図１】  キャンバスパネルの前面斜視図である。
【図２】  キャンバスパネルの後面斜視図である。
【図３】  キャンバスパネルの横断面図である。
【図４】  キャンバスの一部拡大断面図である。
【図５】  キャンバスを木枠へホッチキスによる打ち留めする順番を示す説明図である
【発明を実施するための形態】
【００１３】  本発明のキャンバスパネルは、図１乃至４に示す如く、亜麻、木綿、合成繊維、混紡等のシート状画布生地１の表面に特殊な薬剤でなる下地材を噴射して下地２をなし、その表面がコーティング３された上で、水性顔料インクを使用してのヘッドからの噴射方式による絵画４が印刷されたキャンバス５と、そのキャンバス５を張設する木枠６とでなり、該キャンバスがその端部５１を木枠６の裏面６１まで回してホッチキス７のようなキャンバス釘による打ち留めで固定され、その打ち留めしたホッチキス７を覆い被せるテープ８が、木枠６の裏面６１に回されたキャンバス５の端部５１に沿って貼着される。
よって、キャンバス５が木枠６の裏面６１まで回され、その裏面６１にあるキャンバス５の端部５１をホッチキス７で打ち留めされての固定がされるので、木枠６の外側面６２には、ホッチキス７による打ち留めが露出されず、そして、露出していないので、絵画４を木枠６の外側面６２の範囲まで拡げて描くことが出来、立体感のある絵画４にすることが出来る。
また、打ち留めされたホッチキス７を覆い被せるテープ８が木枠６の裏面６１に回されたキャンバス５の端部５１に沿って貼着されるので、キャンバスパネルの裏面を綺麗に仕上げることが出来ると共に、キャンバスパネルを壁掛けした際には、ホッチキス７等で壁に傷を付けるようなことがない。
【００１４】  キャンバス５の端部５１を木枠６の裏面６１に回してホッチキス７で打ち留めして固定する際には、図５に示す如く、キャンバスを引っ張るのでなく、木枠６に沿って畳み込むようにして折り曲げ、対称する辺の中央を順番（１〜４）にホッチキスによる打ち留めで固定し、次に、木枠６の中心点０を中心にする対称辺の中央を順番（５〜１２）にホッチキス７による打ち留めで固定する。
更に、木枠６にしっかり張設させたキャンバス５の４隅の食み出した部分が２枚重ねを２個作り、折り重ねてホッチキス７による打ち留めをして固定する。
【００１５】  本発明のキャンバスパネルには、シート状画布生地１の表面に下地材が噴射されて下地２をなし、その表面がコーティング３された上で絵画４が印刷されたキャンバス５を木枠６に張設し、該キャンバスの端部５１が木枠６の裏面６１まで回されてホッチキス７による打ち留めされた、その木枠６と、キャンバス５とで囲まれた裏面空間における木枠内側側面６３には、壁掛け用金具９を打設し、該壁掛け用金具には紐９１を結び備えている。
壁掛け用金具９は、木枠６とキャンバス５とで囲まれた裏面空間を利用しているので、紐９１を結んだ壁掛け用金具９が前記裏面空間へ綺麗に収めることが出来、壁掛け用金具９とその紐９１とで壁に掛けた際には、キャンバスパネルを平行に掛けることが可能となる。
【符号の説明】
【００１６】１        シート状画布生地
２        下地
３        コーティング
４        絵画
５        キャンバス
５１      端部
６        木枠
６１      裏面
６２      木枠外側面
６３      木枠内側側面
７        ホッチキス
８        テープ
９        壁掛け用金具
９１      紐
０        木枠の中心点
【図１】
2018083407.tif 000003
【図２】
2018083407.tif 000004
【図３】
2018083407.tif 000005
【図４】
2018083407.tif 000006
【図５】
2018083407.tif 000007